(57)【要約】光情報保存媒体及びその記録方法が開示されている。  この開示された光情報保存媒体は、リードイン領域、ユーザデータ領域及びリードアウト領域を備えた光情報保存媒体において、前記リードイン領域及びリードアウト領域のうち少なくとも何れか一つの再記録可能な領域に最大記録可能速度及び／または最小記録可能速度が記録されたことを特徴とする。本発明による光情報保存媒体及びその記録方法は、保存媒体の製造工程上のエラーによって正規速度を満足させられない場合に対する対応力を改善させうる。
2005528720.tif 000002
【特許請求の範囲】
【請求項１】
リードイン領域、ユーザデータ領域及びリードアウト領域を備えた光情報保存媒体において、
前記リードイン領域及びリードアウト領域のうち少なくとも何れか一つの再記録可能な領域に最大記録可能速度が記録されたことを特徴とする光情報保存媒体。
【請求項２】
前記リードイン領域及びリードアウト領域の再記録可能な領域に最大記録可能速度が重畳されて記録されることを特徴とする請求項１に記載の光情報保存媒体。
【請求項３】
前記再記録可能な領域は、ディスクＩＤ情報が記録される少なくとも一つ以上のディスクＩＤ情報領域と保留領域とを有するディスクＩＤゾーンを備え、前記少なくとも一つのディスクＩＤ情報領域または保留領域に最大記録可能速度が記録されることを特徴とする請求項１に記載の光情報保存媒体。
【請求項４】
前記最大記録可能速度は、再記録可能な領域にある所定のバイトの少なくとも一つ以上のビットを利用して速度フラグとして記録されることを特徴とする請求項３に記載の光情報保存媒体。
【請求項５】
前記最大記録可能速度は、再記録可能な領域にある所定のバイトの少なくとも一つ以上のビットを利用して速度フラグに記録されることを特徴とする請求項１に記載の光情報保存媒体。
【請求項６】
前記リードイン領域及びリードアウト領域のうち少なくとも何れか一つの再記録可能な領域に最小記録可能速度がさらに記録されたことを特徴とする請求項１に記載の光情報保存媒体。
【請求項７】
前記再記録可能な領域は、ディスクＩＤ情報が記録される少なくとも一つ以上のディスクＩＤ情報領域と保留領域とを有するディスクＩＤゾーンを備え、前記少なくとも一つのディスクＩＤ情報領域または保留領域に最大記録可能速度及び最小記録可能速度が記録されることを特徴とする請求項６に記載の光情報保存媒体。
【請求項８】
前記最大記録可能速度及び最小記録可能速度は、再記録可能な領域にある所定のバイトの少なくとも１ビットを利用してそれぞれ速度フラグとして記録されることを特徴とする請求項６に記載の光情報保存媒体。
【請求項９】
前記リードイン領域及びリードアウト領域の再記録可能な領域に最大記録可能速度及び最小記録可能速度がそれぞれ重畳されて記録されることを特徴とする請求項６に記載の光情報保存媒体。
【請求項１０】
リードイン領域、ユーザデータ領域及びリードアウト領域を備えた光情報保存媒体において、
前記リードイン領域及びリードアウト領域のうち少なくとも何れか一つの再記録可能な領域に記録可能な速度情報が記録されたことを特徴とする光情報保存媒体。
【請求項１１】
前記再記録可能な領域の所定のバイトにあるビットにそれぞれ対応する記録可能な速度情報が各ビットごとに記録されることを特徴とする請求項１０に記載の光情報保存媒体。
【請求項１２】
前記再記録可能な領域は、ディスクＩＤ情報が記録される少なくとも一つ以上のディスクＩＤ情報領域と保留領域とを有するディスクＩＤゾーンを備え、前記少なくとも一つのディスクＩＤ情報領域または保留領域に記録可能な速度がビット単位に記録されることを特徴とする請求項１１に記載の光情報保存媒体。
【請求項１３】
前記リードイン領域及びリードアウト領域の再記録可能な領域に記録可能な速度が重畳されて記録されることを特徴とする請求項１１に記載の光情報保存媒体。
【請求項１４】
前記再記録可能な領域は、ディスクＩＤ情報が記録される少なくとも一つ以上のディスクＩＤ情報領域と保留領域とを有するディスクＩＤゾーンを備え、前記少なくとも一つのディスクＩＤ情報領域または保留領域に記録可能な速度がビット単位に記録されることを特徴とする請求項１０に記載の光情報保存媒体。
【請求項１５】
リードイン領域、ユーザデータ領域及びリードアウト領域を備えた光情報保存媒体を記録する方法において、
前記リードイン領域及びリードアウト領域のうち少なくとも何れか一つの再記録可能な領域に最大記録可能速度を記録する段階と、
ディスクドライブで前記最大記録可能速度を認識して記録を行う段階とを含むことを特徴とする光情報保存媒体の記録方法。
【請求項１６】
前記リードイン領域及びリードアウト領域の再記録可能な領域に最大記録可能速度が重畳されて記録されることを特徴とする請求項１５に記載の光情報保存媒体の記録方法。
【請求項１７】
前記再記録可能な領域は、ディスクＩＤ情報を記録する少なくとも一つのディスクＩＤ情報領域と保留領域とを有するディスクＩＤゾーンを備え、前記少なくとも一つのディスクＩＤ情報領域または保留領域に最大記録可能速度が記録されることを特徴とする請求項１５に記載の光情報保存媒体の記録方法。
【請求項１８】
前記最大記録可能速度は、再記録可能な領域にある所定のバイトの少なくとも１ビットを利用して速度フラグとして記録されることを特徴とする請求項１６に記載の光情報保存媒体の記録方法。
【請求項１９】
前記最大記録可能速度は、再記録可能な領域にある所定のバイトの少なくとも１ビットを利用して速度フラグとして記録されることを特徴とする請求項１５に記載の光情報保存媒体の記録方法。
【請求項２０】
前記リードイン領域及びリードアウト領域のうち少なくとも何れか一つの再記録可能な領域に最小記録可能速度がさらに記録されたことを特徴とする請求項１５に記載の光情報保存媒体の記録方法。
【請求項２１】
前記リードイン領域及びリードアウト領域の再記録可能な領域に最大記録可能速度及び最小記録可能速度がそれぞれ重畳されて記録されることを特徴とする請求項２０に記載の光情報保存媒体の記録方法。
【請求項２２】
前記再記録可能な領域は、ディスクＩＤ情報が記録される少なくとも一つ以上のディスクＩＤ情報領域と保留領域とを有するディスクＩＤゾーンを備え、前記少なくとも一つのディスクＩＤ情報領域または保留領域に最大記録可能速度及び最小記録可能速度が記録されることを特徴とする請求項２０に記載の光情報保存媒体の記録方法。
【請求項２３】
前記最大記録可能速度及び最小記録可能速度は、再記録可能な領域にある所定のバイトの少なくとも１ビットを利用してそれぞれ速度フラグとして記録されることを特徴とする請求項２０に記載の光情報保存媒体の記録方法。
【請求項２４】
リードイン領域、ユーザデータ領域及びリードアウト領域を備えた光情報保存媒体の記録方法において、
前記リードイン領域及びリードアウト領域のうち少なくとも何れか一つの再記録可能な領域に記録可能な速度情報を記録する段階と、
ディスクドライブで前記記録可能な速度を認識して記録を行う段階とを含むことを特徴とする光情報保存媒体の記録方法。
【請求項２５】
前記再記録可能な領域の所定のバイトにあるビットにそれぞれ対応する記録可能な速度情報が各ビットごとに記録されることを特徴とする請求項２４に記載の光情報保存媒体の記録方法。
【請求項２６】
前記リードイン領域及びリードアウト領域の再記録可能な領域に最大記録可能速度が重畳されて記録されることを特徴とする請求項２４に記載の光情報保存媒体の記録方法。
【請求項２７】
前記再記録可能な領域は、ディスクＩＤ情報が記録される少なくとも一つ以上のディスクＩＤ情報領域と保留領域とを有するディスクＩＤゾーンを備え、前記少なくとも一つのディスクＩＤ情報領域または保留領域に記録可能な速度がビット単位に記録されることを特徴とする請求項２４に記載の光情報保存媒体の記録方法。
【発明の詳細な説明】
【技術分野】
【０００１】
本発明は光情報保存媒体及びその記録方法に係り、さらに詳細にはユーザデータ領域を除外した他の領域にある再記録可能な領域にディスクの最大記録可能速度または記録可能な速度を記録し、ディスクドライブがこの速度を認識して適した記録速度で記録しうるようにした光情報保存媒体及びその記録方法に関する。
【背景技術】
【０００２】
一般的に、光情報保存媒体、例えば、光ディスクは非接触式で情報を記録／再生する光ピックアップ装置の情報媒体として広く採用され、情報記録容量によってコンパクトディスク（ＣＤ）、デジタル多機能ディスク（ＤＶＤ）に区分されうる。そして、データの記録、消去及び再生が可能な光ディスクとしては、ＣＤ−Ｒ、ＣＤ−ＲＷ、ＤＶＤ−ＲＷ、ＤＶＤ−ＲＡＭ、ＤＶＤ＋ＲＷなどがある。
【０００３】
一方、前記のような光ディスクの記録速度が高倍速化するにつれてドライブの性能もその速度に合わせて新たに開発されている。ディスクの記録速度によって適した記録特性があり、これら特性を満足させるようにディスクドライブが作動されなければ信頼できないほどの記録が行われる。しかし、一般的なディスクドライブにおいて、低倍速ディスクに対しては良好な記録を行うが、相対的に高倍速ディスクに対しては記録特性を満足させずにユーザデータを損傷させる場合が多く発生する恐れがある。一方、高倍速用として製作されたディスクドライブを利用して低倍速のディスクに記録を行う時にもユーザデータが損傷される恐れがある。
【０００４】
したがって、ディスクの記録速度についての正確な情報が必要である。これに、ディスクの記録速度がディスクの所定領域に記録され、この速度をディスクドライブが認識して記録しようとするディスクに適した速度に記録するようになっている。例えば、記録しようとするディスクが２倍速である場合、ディスク出荷時、その速度をディスクの所定領域に記録することによってディスクドライブによって記録する時にそのディスクの記録特性を考慮して記録する。
【０００５】
しかし、ディスクテスト時、前記のように所定のディスクの記録速度を満足させられない場合を発見する場合が時々ある。例えば、４倍速ディスクを製造してディスクの所定領域にディスクの記録速度を４倍速に記録したが、実際には４倍速を満足させられない場合がある。ここで、ディスク不良によって使用が不可能な場合もあるが、４倍速用としては不適であるが、それより低い倍速の３倍速または２倍速用としては問題のない場合がありうる。このような場合、ディスク製作時、記録速度が４倍速に記録されているので、ディスクドライブによって４倍速に認識されてその速度に対応するように記録を行うが、実際には４倍速の性能を満足させられないので、記録が正常的になされず、ユーザデータの損傷を招く恐れがある。したがって、前記のようにディスクが４倍速用としては不適であるが、４倍速より小さな３倍速または２倍速用としては無理のない場合まで不良ディスクとして処理するしかなかった。
【０００６】
しかし、このようにディスク製作時に設計した通りの速度は満足させられないが、それより小さな倍速は満足させるディスクの場合、これを不良ディスクとして処理して廃棄することは非常に浪費的である。したがって、最初に規定された記録速度を満足させられないディスクをそれより低い記録速度を満足させるディスクにリサイクルしうる方法を探す必要がある。また、ディスクの製造工程上、色々な作業環境によってディスクの記録速度が減少する場合に対する後続措置が要求される。
【発明の開示】
【発明が解決しようとする課題】
【０００７】
本発明は前記問題点を解決するために案出されたものであって、ユーザデータ領域を除外した領域の再記録可能な領域に最大記録可能速度または記録可能な速度を記録することによって、記録しようとする保存媒体に対して最適である速度に記録されるようにし、ユーザデータの安定性を保障しうるようにした光情報保存媒体及びその記録方法を提供するところにその目的がある。
【課題を解決するための手段】
【０００８】
本発明の望ましい実施例による光情報保存媒体は、リードイン領域、ユーザデータ領域及びリードアウト領域を備えた光情報保存媒体において、前記リードイン領域及びリードアウト領域のうち少なくとも何れか一つの再記録可能な領域に最大記録可能速度が記録されたことを特徴とする。
【０００９】
前記リードイン領域及びリードアウト領域の再記録可能な領域に最大記録可能速度が重畳されて記録されることを特徴とする。
【００１０】
前記再記録可能な領域は、ディスクＩＤ情報が記録される少なくとも一つ以上のディスクＩＤ情報領域と保留領域とを有するディスクＩＤゾーンを備え、前記少なくとも一つのディスクＩＤ情報領域または保留領域に最大記録可能速度が記録されることを特徴とする。
【００１１】
前記リードイン領域及びリードアウト領域のうち少なくとも何れか一つの再記録可能な領域に最小記録可能速度がさらに記録されたことを特徴とする。
【００１２】
前記目的を達成するために本発明による光情報保存媒体は、リードイン領域、ユーザデータ領域及びリードアウト領域を備えた光情報保存媒体において、前記リードイン領域及びリードアウト領域のうち少なくとも何れか一つの再記録可能な領域に記録可能な速度情報が記録されたことを特徴とする。
【００１３】
前記再記録可能な領域の所定のバイトにあるビットにそれぞれ対応する記録可能な速度情報が各ビットごとに記録されることを特徴とする。
【００１４】
前記目的を達成するために本発明による光情報保存媒体の記録方法は、リードイン領域、ユーザデータ領域及びリードアウト領域を備えた光情報保存媒体の記録方法において、前記リードイン領域及びリードアウト領域のうち少なくとも何れか一つの再記録可能な領域に最大記録可能速度を記録する段階と、ディスクドライブで前記最大記録可能速度を認識して記録を行う段階とを含むことを特徴とする。
【００１５】
前記目的を達成するために本発明による光情報保存媒体の記録方法は、リードイン領域、ユーザデータ領域及びリードアウト領域を備えた光情報保存媒体の記録方法において、前記リードイン領域及びリードアウト領域のうち少なくとも何れか一つの再記録可能な領域に記録可能な速度情報を記録する段階と、ディスクドライブで前記記録可能な速度を認識して記録を行う段階とを含むことを特徴とする。
【発明を実施するための最良の形態】
【００１６】
以下、添付された図面を参照して本発明を詳細に説明する。
【００１７】
図１は、リードイン領域、ユーザデータ領域及びリードアウト領域を含む光情報保存媒体において、前記リードイン領域の構造を概略的に示す図である。リードイン領域は、ディスクの最内周側にピット状にディスクに対する基本的な情報が記録されるエンボスデータゾーン１０と、ミラーゾーン２０と、再記録可能なデータゾーン３０とを含む。
【００１８】
エンボスデータゾーン１０にはディスクの正規記録速度が記録されるコントロールデータゾーン１０ａが備わる。ディスクの正規記録速度とは、ディスク設計時に所定の２倍速、３倍速、４倍速のような記録速度を称し、ディスク情報の一つであって前記コントロールデータゾーン１０ａに記録される。ディスクにデータを記録する時、このように記録されたディスクの記録速度をディスクドライブで認識して当該記録速度に最適である条件でデータを記録しうるように制御する。
【００１９】
ミラーゾーン２０にはエンボスデータゾーン１０と再記録可能なデータゾーン３０間を連結するコネクションゾーンが備わりうる。
【００２０】
一方、再記録可能なデータゾーン３０にはディスクテストゾーン３０ａ、ドライブテストゾーン３０ｂ、ディスクＩＤゾーン３０ｃ及び欠陥管理ゾーン３０ｄなどが備わりうる。また、ディスクＩＤゾーン３０ｃにはディスクＩＤ情報が記録される少なくとも一つ以上のディスクＩＤ情報領域が備わる。ここでは、例えば、第１ないし第４ディスクＩＤ情報領域３０ｃ−１，３０ｃ−２，３０ｃ−３，３０ｃ−４が備わった場合を例示した。これ以外に、予定されていないが、以後に他の情報が記録されうる余裕領域として少なくとも一つの保留領域３０ｃ−５，３０ｃ−６がさらに備わりうる。
【００２１】
一方、リードアウト領域は、前記リードイン領域と類似した構造を有するものであって、ここでは詳細な説明を省略する。
【００２２】
望ましくは、光情報保存媒体がコントロールデータゾーン１０ａに記録されたディスクの正規記録速度を満足させなければならないが、実際には製造工程上のエラーによってディスクの正規記録速度を満足させられず、それより低い記録速度を満足させる場合が発生する恐れがある。このような場合、前記正規記録速度に代えて実際に満足する記録可能な記録速度を新たに記録しなければならない必要がある。
【００２３】
本発明の第１実施例による光情報保存媒体の記録方法は、リードイン領域及びリードアウト領域のうち少なくとも何れか一つの再記録可能な領域に最大記録可能な記録速度を記録する段階を含む。例えば、前記再記録可能なデータゾーン３０の所定領域に最大記録可能な記録速度を記録しうる。
【００２４】
データゾーン３０の所定領域は、図２を参照すれば、複数のバイトよりなり、複数のバイトのうち何れか１バイトに最大記録可能速度を記録しうる。例えば、再記録可能なデータゾーン３０の所定領域の０バイトポジションＢＰ
３５に記録可能な速度フラグを記録する。ここでは、０バイトポジション３５に記録可能な速度を記録する場合を例示したが、１バイトポジションを含んで所望のバイトポジションに記録可能な速度を記録することが可能である。
【００２５】
０バイトポジション３５の内部構造を見れば、図３Ａに示されたように、０−７ビットｂ０，ｂ１，ｂ２，ｂ３、ｂ４，ｂ５，ｂ６，ｂ７までの８ビットよりなり、例えば、第７ビットｂ７と第６ビットｂ６とに最大速度フラグを記録しうる。残りのビットは、保留領域として残す。具体的に、第７ビットｂ７及び第６ビットｂ６の２ビットを利用して次のような最大速度フラグを記録しうる。
【００２６】
ここでは、正規記録速度が５倍速５Ｘである場合を例として説明する。第一に、速度フラグが００ｂで記録された場合には、正規記録速度の通りに記録が可能であることを表す。すなわち、ここでは最大５倍速に記録が可能であることを表す。第二に、０１ｂで記録された場合には、最大記録可能速度が２倍速２Ｘであることを表すものであって、２倍速を超える速度では記録できないことを表す。第三に、１０ｂで記録された場合には、最大記録可能速度が３倍速３Ｘであることを、第四に、１１ｂで記録された場合には、最大記録可能速度が４倍速であることをそれぞれ表す。
【００２７】
さらに他の例として、正規記録速度が３倍速３Ｘである場合に、速度フラグが００ｂで記録された時には、３倍速の正規記録速度に記録可能であることを表し、０１ｂで記録された時には、最大記録可能速度が２倍速であることを表す。
【００２８】
さらに、６倍速以上のディスクに対して適用するために前記速度フラグを３ビットに構成して記録しうる。例えば、６倍速のディスクに対して０００ｂは最大６倍速に記録可能であり、６倍速を超える速度では記録されず、００１ｂは最大記録可能速度が２倍速であり、０１０ｂは最大記録可能速度が３倍速である場合をそれぞれ表す。
【００２９】
前記例では２ビットまたは３ビットを利用して最大速度を記録する場合を説明したが、この他に４〜８ビットを利用して最大速度を記録することもある。言い換えれば、再記録可能領域にある何れか１バイトの少なくとも１ビットを利用して最大記録可能速度を記録することが可能である。
【００３０】
前記のようにしてリードイン領域の再記録可能なデータゾーンの所定領域に最大記録可能速度を記録し、ディスクドライブで前記最大記録可能速度によってディスクに対して最適の記録速度で記録を行うようにする。
【００３１】
望ましくは、前記最大記録可能速度は、ディスクＩＤゾーン３０ｃにある少なくとも一つのディスクＩＤ情報領域３０ｃ−１，３０ｃ−２，３０ｃ−３，３０ｃ−４に記録されうる。または、ディスクＩＤゾーン３０ｃの保留領域３０ｃ−５，３０ｃ−６に記録されうる。一方、前記例では最大記録可能速度をリードイン領域の再記録可能な領域に記録する場合を説明したが、保存媒体の外周側に設けられたリードアウト領域の再記録可能な領域にも記録しうる。
【００３２】
また、最大記録可能速度の信頼性を確保するためにリードイン領域とリードアウト領域との再記録可能な領域に最大記録可能速度を重畳して記録することもある。
【００３３】
本発明の第１実施例による光情報記録媒体は、前記方法によってリードイン領域及びリードアウト領域のうち少なくとも何れか一つの再記録可能な領域の所定領域に最大記録可能速度が記録される。前記最大記録可能速度は、所定バイトの少なくとも１ビットを利用して速度フラグとして記録されうる。
【００３４】
一方、前記例では最大記録可能速度情報が０バイトポジションＢＰに記録される場合を説明したが、０バイトポジションにのみ限定されず、他のバイトポジションにも同一に適用可能である。
【００３５】
本発明の第２実施例による光情報記録媒体の記録方法は、リードイン領域及びリードアウト領域のうち少なくとも何れか一つの再記録可能な領域に最大記録可能速度及び最小記録可能速度を記録する段階を含む。例えば、前記再記録可能なデータゾーン３０の所定領域に最大記録可能な記録速度を記録しうる。ここで、再記録可能なデータゾーンは、リードイン領域だけでなく、リードアウト領域にも備わっている。
【００３６】
最大記録可能速度及び最小記録可能速度は、再記録可能なデータゾーン３０の所定領域、例えばディスクＩＤ情報領域３０ｃ−１，３０ｃ−２，３０ｃ−３，３０ｃ−４または保留領域３０ｃ−５，３０ｃ−６に記録されうる。ディスクＩＤ情報領域３０ｃ−１，３０ｃ−２，３０ｃ−３，３０ｃ−４または保留領域３０ｃ−５，３０ｃ−６は、複数のバイトより構成され、これらバイトのうち何れか一つのバイトポジションに、図３Ｂに示されたように最大記録可能速度及び最小記録可能速度を記録する。
【００３７】
また、信頼性の確保のために最大記録可能速度及び最小記録可能速度をリードイン領域とリードアウト領域との再記録可能な領域に重畳して記録することが望ましい。
【００３８】
具体的に、正規記録速度が８倍速で記録されているが、ディスクの記録特性に対するテスト時に５〜７倍速を満足させるという結果が出た場合を例として説明する。ここで、最大記録可能速度は７倍速であり、最小記録可能速度は５倍速である。図３Ｂには第７ないし第４ビットｂ７，ｂ６，ｂ５，ｂ４には最大記録可能速度を、第３ないし第０ビットｂ３，ｂ２，ｂ１，ｂ０には最小記録可能速度を記録した場合を例示した。このように４ビットを利用して最大または最小記録可能速度を表す例は、次の通りである。
【００３９】
【表１】
2005528720.tif 000003
前記表１を利用して５〜７倍速を満足させる場合を表せば、０１０１００１１ｂのようである。ここでは、４ビットずつを利用して最大記録可能速度と最小記録可能速度とをそれぞれ表したが、３ビットずつまたは２ビットずつを利用して最大記録可能速度と最小記録可能速度とをそれぞれ表せる。
【００４０】
本発明の第２実施例による記録方法によって記録された光情報保存媒体は、リードイン領域及びリードアウト領域のうち少なくとも何れか一つの再記録可能な領域に最大記録可能速度及び最小記録可能速度が記録されている。最大記録可能速度及び最小記録可能速度は、２ビットないし４ビットずつ利用してそれぞれ記録されうる。
【００４１】
次いで、第３実施例による光情報保存媒体及びその記録方法について説明する。
【００４２】
第３実施例によれば、リードイン領域及びリードアウト領域のうち少なくとも何れか一つの再記録可能な領域の所定領域に記録可能な速度を１ビットごとにそれぞれ記録する段階を含む。
【００４３】
例えば、図１に示された再記録可能なデータゾーン３０の所定領域にある何れか１バイトを利用して記録可能な速度を記録しうる。再記録可能なデータゾーン３０に備わったディスクＩＤ情報領域３０ｃ−１，３０ｃ−２，３０ｃ−３，３０ｃ−４または保留領域３０ｃ−５，３０ｃ−６に記録可能な速度を記録する。ディスクＩＤ情報領域３０ｃ−１，３０ｃ−２，３０ｃ−３，３０ｃ−４及び保留領域３０ｃ−５，３０ｃ−６は、複数のバイトより構成され、これらバイトのうち何れか１バイトの８ビットを利用して各ビットごとに記録可能な速度を記録する。
【００４４】
具体的に、所定バイトポジションの各ビットごとに異なる記録可能速度が対応し、それぞれの対応する記録可能速度についての情報を各ビットごとに記録する。一例として、それぞれのビットごとに対応する速度を次のように規定しうる。
【００４５】
【表２】
2005528720.tif 000004
表２を参考として各ビットポジションに対応する記録可能速度についての情報をそれぞれ記録することによって記録可能な速度をいずれも表せる。すなわち、第７ビット７ｂに０ｂが記録されれば、９倍速の記録が不能であることを、１ｂが記録されれば、９倍速の記録が可能であることをそれぞれ表す。また、第６ビット６ｂに０ｂが記録されれば、８倍速の記録が不能であることを、１ｂが記録されれば、８倍速の記録が可能であることをそれぞれ表す。残りの第５ないし第０ビット５ｂ，４ｂ，３ｂ，２ｂ，２ｂ，１ｂ，０ｂに対しても同じ方法で適用されて、それぞれのビットに対応する記録可能速度についての情報を表せる。
【００４６】
第３実施例によって例えば正規記録速度が９倍速で記録されているので、記録特性に対するテスト時に５〜７倍速の特性を満足させると表れた場合、表２を参考として記録可能な速度を記録すれば、００１１１０００ｂに記録されうる。
【００４７】
ここで、信頼性の確保のために記録可能な速度をリードイン領域とリードアウト領域との再記録可能な領域に重畳して記録しうる。
【００４８】
前記第２実施例及び第３実施例によれば、記録可能な全ての速度を表せるので、さらに正確かつ具体的な記録速度についての情報を提供しうる利点がある。特に、記録速度が高倍速化するほど低倍速用に設計されたディスクドライブとの互換性に問題が発生しうる。例えば、５倍速以上の高倍速用ディスクドライブでは５倍速より小さな記録特性を満足するディスクに対して記録が正常的に行われないことができる。このような場合に対応して記録可能な速度についての全ての情報を記録することによって記録可能な速度に対する対応力を高めうる。
【００４９】
一方、前記のような速度フラグ情報は、ディスク製造者によってのみ記録されなければならず、ディスク出荷後にディスクドライブによって変更、消去されないように保護されなければならない。
【００５０】
本発明は図示された一実施例を参考として記述されたが、これは例示的なものに過ぎず、当業者ならば、これから多様な変形及び均等な他の実施例が可能であることが分かる。したがって、本発明の保護範囲は、特許請求の範囲の技術的思想によって決定されなければならない。
【産業上の利用可能性】
【００５１】
本発明による光情報保存媒体及びその記録方法は、保存媒体の製造工程上のエラーによって正規速度を満足させられない場合に対する対応力を改善させうる。特に、最近の記録速度の高倍速化によって本発明の必要性がさらに切実に要求されうる。
【００５２】
本発明による光情報保存媒体及びその記録方法によれば、不良率を減少させ、記録速度の不正確な適用によってユーザデータが損失されることを防止しうる。
【図面の簡単な説明】
【００５３】
【図１】本発明による光情報保存媒体のリードイン領域の構造を示す図である。
【図２】本発明による光情報保存媒体の記録方法によって記録された光情報保存媒体の一部構造を示す図である。
【図３Ａ】本発明の第１実施例による光情報保存媒体及びその記録方法を説明するための図である。
【図３Ｂ】本発明の第２実施例による光情報保存媒体及びその記録方法を説明するための図である。
【図４】本発明の第３実施例による光情報保存媒体及びその記録方法を説明するための図である。
【図１】
2005528720.tif 000005
【図２】
2005528720.tif 000006
【図３Ａ】
2005528720.tif 000007
【図３Ｂ】
2005528720.tif 000008
【図４】
2005528720.tif 000009
【国際調査報告】
2005528720.tif 000010